(57)【特許請求の範囲】
【請求項１】
下記の要件を備えたことを特徴とするビーズ通し装置。
（イ）装置本体には、ビーズの中心孔に通す通し軸が略垂直に設けられていること。
（ロ）通し軸は、上下方向に２つ以上の被挟持部が形成され、下端に糸を引っ掛ける引っ掛け部が設けられていること。
（ハ）装置本体には、開閉する一対の挟持部材を有する挟持手段が前記通し軸の被挟持部に対応して上下方向に２つ以上設けられ、一対の挟持部材は、閉じると前記通し軸の被挟持部を挟持するように形成されていること。
（ニ）装置本体には、回転軸が回転自在に設けられ、回転軸には、前記２つ以上の一対の挟持部材を順番に開閉させる当接部材が上下方向に２つ以上設けられていること。
（ホ）装置本体には、回転軸を強制的に回転させる駆動手段が設けられていること。
【請求項２】
駆動手段がアーム部材であることを特徴とする請求項１記載のビーズ通し装置。
【請求項３】
下記の要件を備えたことを特徴とする請求項１又は２記載のビーズ通し装置。
（イ）装置本体には、ビーズを収容する収容凹部が設けられていること。
（ロ）収容凹部の底壁には、収容凹部に収容されたビーズを前記通し軸に案内する案内口が形成されていること。
（ハ）収容凹部内には、収容凹部内のビーズを案内口に導く案内部材が回転自在に設けられ、案内部材は前記駆動手段によって回転軸と共に強制的に回転させられるようになっていること。
【請求項４】
駆動手段と回転軸の間には、駆動手段の回転を回転軸に伝達すると共に、回転軸に負荷がかかっている場合、駆動手段が空回りするクラッチ手段が設けられていることを特徴とする請求項１、２又は３記載のビーズ通し装置。
【発明の詳細な説明】
【０００１】
【発明の属する技術分野】
本願発明は、手芸、装飾用のビーズの中心孔に糸を通すビーズ通し装置に関するものである。
【０００２】
【従来の技術】
従来のビーズ通し装置には、特許第２９３０９００号公報に開示されているようなものがあった。このビーズ通し装置は、ビーズの中心孔に通す針体が垂直に設けられている。この針体は、上下方向に２つ以上のくびれが形成され、下端に糸を引っ掛ける引っ掛け部が設けられている。また、装置本体には、開閉する一対の把持アームを有する把持具が前記針体のくびれに対応して上下方向に２つ以上設けられ、一対の把持アームは、閉じると前記針体のくびれを挟持するように形成されている。一対の把持アームは、夫々把持具の基台に設けられたカム部材によって開閉するようになっている。各カム部材は、これに設けられたアームを、別個に設けられた駆動軸の駆動レバーが離接して、作動するようになっている。さらに、針体に通されるビーズは、容器に収容され、容器の下端開口近傍に設けられた移動部材によって貫通孔側へ送り出すようにしている。
【０００３】
【発明が解決しようとする課題】
上記従来のビーズ通し装置は、一対の把持アームを開閉するカム部材を、把持具の基台に個々に取り付けて組み立てており、構造が複雑で組み立てが面倒であるという問題点があった。また、カム部材は、これのアームを別個に設けられた駆動軸の駆動レバーが離接することによって作動させられるが、アームの位置と駆動レバーの位置合わせが難しく、アームの位置と駆動レバーの位置がずれて作動しない場合もあり得るという問題点があった。さらに、駆動軸の駆動と移動部材の駆動は、別々の駆動手段によって行われるため、構造が複雑で安価に製造することができないという問題点があった。さらに又、カム部材が何らかの障害により作動しなくなった場合、このカム部材のアームに離接する駆動レバーを有する駆動軸、駆動レバー、又はアーム等が壊れる可能性があるという問題点があった。
【０００４】
本願発明は、上記問題点に鑑み発明されたものであって、一対の挟持部材を開閉する当接部材を回転軸に設けることによって、構造が単純で組み立て易く、当接部材と一対の挟持部材の位置合わせが容易なビーズ通し装置を提供することを第１の目的とする。また、駆動手段をアーム部材とすることで、手で作業することができ、幼児でも簡単に使用することができるビーズ通し装置を提供することを第２の目的とする。さらにまた、回転軸とビーズを案内する案内部材を一つの駆動手段で駆動することにより、構造が簡単で安価に製造することができるビーズ通し装置を提供することを第３の目的とする。また、駆動手段と回転軸の間にクラッチ手段を設け、回転軸に負荷がかかって回転不能になっても、駆動手段が空回りし、機構部の壊れを防止することができるビーズ通し装置を提供することを第４の目的とする。
【０００５】
【課題を解決するための手段】
本願請求項１記載のビーズ通し装置は、上記第１の目的を達成するため、下記の手段を有する。
（イ）装置本体には、ビーズの中心孔に通す通し軸が略垂直に設けられていること。
（ロ）通し軸は、上下方向に２つ以上の被挟持部が形成され、下端に糸を引っ掛ける引っ掛け部が設けられていること。
（ハ）装置本体には、開閉する一対の挟持部材を有する挟持手段が前記通し軸の被挟持部に対応して上下方向に２つ以上設けられ、一対の挟持部材は、閉じると前記通し軸の被挟持部を挟持するように形成されていること。
（ニ）装置本体には、回転軸が回転自在に設けられ、回転軸には、前記２つ以上の一対の挟持部材を順番に開閉させる当接部材が上下方向に２つ以上設けられていること。
（ホ）装置本体には、回転軸を強制的に回転させる駆動手段が設けられていること。
【０００６】
本願請求項２記載のビーズ通し装置は、上記第２の目的を達成するため、上記駆動手段がアーム部材である。
【０００７】
本願請求項３記載のビーズ通し装置は、上記第３の目的を達成するため、上記手段に加え、下記の手段を有する。
（イ）装置本体には、ビーズを収容する収容凹部が設けられていること。
（ロ）収容凹部の底壁には、収容凹部に収容されたビーズを前記通し軸に案内する案内口が形成されていること。
（ハ）収容凹部内には、収容凹部内のビーズを案内口に導く案内部材が回転自在に設けられ、案内部材は前記駆動手段によって回転軸と共に強制的に回転させられるようになっていること。
【０００８】
本願請求項４記載のビーズ通し装置は、上記第４の目的を達成するため、上記駆動手段と回転軸の間には、駆動手段の回転を回転軸に伝達すると共に、回転軸に負荷がかかっている場合、駆動手段が空回りするクラッチ手段が設けられている。
【０００９】
【発明の実施の形態】
本願発明に係るビーズ通し装置の一つの実施の形態を、図１乃至図４に基づいて説明する。図１は、本願発明に係るビーズ通し装置の全体斜視図である。図２は、図１の分解斜視図である。図３は、図１の側面断面図である。図４は、ビーズ通し装置の動きを説明する説明図である。
【００１０】
ビーズ通し装置１は、装置本体２を有する。装置本体２には、ビーズ７０の中心孔７１に通す通し軸６０が略垂直に設けられている。通し軸６０は、上下方向に２つ以上の被挟持部６０ａ〜６０ｄが形成され、下端に糸７２を引っ掛ける引っ掛け部６３が設けられている。装置本体２には、開閉する一対の挟持部材２１，３１を有する挟持手段２０ａ〜２０ｄが前記通し軸６０の被挟持部６０ａ〜６０ｄに対応して上下方向に２つ以上設けられ、一対の挟持部材２１，３１は、閉じると前記通し軸６０の被挟持部６０ａ〜６０ｄを挟持するように形成されている。
【００１１】
装置本体２には、回転軸４０が回転自在に設けられ、回転軸４０には、前記２つ以上の一対の挟持部材２１，３１を順番に開閉させる当接部材４５ａ〜４５ｄが上下方向に２つ以上設けられている。装置本体２には、回転軸４０を強制的に回転させる駆動手段５０が設けられている。駆動手段５０がアーム部材５２であっても構わない。
【００１２】
装置本体２には、ビーズ７０を収容する収容凹部１３が設けられている。収容凹部１３の底壁１１には、収容凹部１３に収容されたビーズ７０を前記通し軸６０に案内する案内口１６が形成されている。収容凹部１３内には、収容凹部１３内のビーズ７０を案内口１６に導く案内部材５５が回転自在に設けられ、案内部材５５は前記駆動手段５０によって回転軸４０と共に強制的に回転させられるようになっている。
【００１３】
なお、上記駆動手段５０と回転軸４０の間に、駆動手段５０の回転を回転軸４０に伝達すると共に、回転軸４０に負荷がかかっている場合、駆動手段５０が空回りするクラッチ手段８０を設けることができる。
【００１４】
ビーズ通し装置１についてさらに詳細に説明する。ビーズ通し装置１は装置本体２を有する。装置本体２は、後側板３と左側板５と右側板６とからなる断面略コ字状の枠体８と、枠体８の下端に固定して設けられた接地板７と、枠体８の上端に固定して設けられたビーズ収容体１０とからなる。枠体８の略中間部には、軸受け板９が設けられている。
【００１５】
ビーズ収容体１０は、略円形の底壁１１と、底壁１１の上部に固定して設けられた環状の周壁１２とからなり、底壁１１と周壁１２によって収容凹部１３が形成されている。このビーズ収容体１０は、底壁１１が左側板５と右側板６の上端に固定して設けられた突接片５ａ，６ａに載せられ、底壁１１に形成された透孔１１ａ，１１ａを通したネジ１５，１５を突接片５ａ，６ａにねじ込むことにより、枠体８に固定されている。
【００１６】
装置本体２には、挟持手段２０ａ〜２０ｄが上下方向に４つ設けられている。挟持手段２０ａ〜２０ｄは、後部が回動自在に連結され、前部が開閉する一対の挟持部材２１，３１と、一対の挟持部材２１，３１を閉じる方向に付勢する弾性部材３０とからなる。
【００１７】
一方の挟持部材２１は、板状に形成され、前部内側に半円状の挟持部２２が形成され、略中間部内側に半円状の切り欠き２３が形成され、後部内側に円軸状のボス２５が略垂直に突設されている。半円状の切り欠き２３の略中間部に突起２６が突設されている。突起２６は、図５に示すように、傾斜面２６ａと垂直面２６ｂを有する。ボス２５は、上端面に連結軸２５ａが形成され、下端面に連結穴２５ｂが形成されており、下端半分２５ｃが挟持部材２１から突出している。また、一方の挟持部材２１の前部下面には、弾性部材、例えば引っ張りバネ３０の一端を引っ掛けるフック２７が形成されている。
【００１８】
他方の挟持部材３１は、板状に形成され、前部内側に半円状の挟持部３２が形成され、略中間部内側に半円状の切り欠き３３が形成され、後部内側に段凹部３５が形成されている。半円状の切り欠き３３の略中間部に突起３６が突設されている。突起３６は、図５に示すように、傾斜面３６ａと垂直面３６ｂを有する。段凹部３５は、一方の挟持部材２１のボス２５の下端半分２５ｃを嵌合できるように形成され、ボス２５の連結穴２５ｂの中心と略同一の中心となる取付孔３５ｃが形成されている。また、他方の挟持部材３１の前部下面には、弾性部材、例えば引っ張りバネ３０の他端を引っ掛けるフック３７が形成されている。
【００１９】
１番目の挟持手段２０ａは、一方の挟持部材２１のボス２５の下端半分２５ｃを他方の挟持部材３１の段凹部３５に嵌合し、２番目の挟持手段２０ｂの一方の挟持部材２１のボス２５の連結軸２５ａを、段凹部３５の取付孔３５ｃ、ボス２５の連結穴２５ｂに差し込むことによって、一方の挟持部材２１と他方の挟持部材３１が開閉自在となり、一方の挟持部材２１のフック２７と他方の挟持部材３１のフック３７に弾性部材、例えば引っ張りバネ３０を引っ掛けることにより、一方の挟持部材２１と他方の挟持部材３１が閉じる方向に付勢される。１番目の挟持手段２０ａの一方の挟持部材２１のボス２５の連結軸２５ａは、前記ビーズ収容体１０の底壁１１に形成された軸受け孔２８に回動自在に取り付けられている。
【００２０】
２番目の挟持手段２０ｂは、一方の挟持部材２１のボス２５の下端半分２５ｃを他方の挟持部材３１の段凹部３５に嵌合し、３番目の挟持手段２０ｃの一方の挟持部材２１のボス２５の連結軸２５ａを、段凹部３５の取付孔３５ｃ、ボス２５の連結穴２５ｂに差し込むことによって、一方の挟持部材２１と他方の挟持部材３１が開閉自在となり、一方の挟持部材２１のフック２７と他方の挟持部材３１のフック３７に弾性部材、例えば引っ張りバネ３０を引っ掛けることにより、一方の挟持部材２１と他方の挟持部材３１が閉じる方向に付勢される。
【００２１】
３番目の挟持手段２０ｃは、一方の挟持部材２１のボス２５の下端半分２５ｃを他方の挟持部材３１の段凹部３５に嵌合し、４番目の挟持手段２０ｄの一方の挟持部材２１のボス２５の連結軸２５ａを、段凹部３５の取付孔３５ｃ、ボス２５の連結穴２５ｂに差し込むことによって、一方の挟持部材２１と他方の挟持部材３１が開閉自在となり、一方の挟持部材２１のフック２７と他方の挟持部材３１のフック３７に弾性部材、例えば引っ張りバネ３０を引っ掛けることにより、一方の挟持部材２１と他方の挟持部材３１が閉じる方向に付勢される。
【００２２】
４番目の挟持手段２０ｄは、上下に連結ピン３８ａ、３８ｂが形成された駒部材３８によって回動自在に取り付けられる。即ち、４番目の挟持手段２０ｄは、一方の挟持部材２１のボス２５の下端半分２５ｃを他方の挟持部材３１の段凹部３５に嵌合し、駒部材３８の上連結ピン３８ａを、段凹部３５の取付孔３５ｃ、ボス２５の連結穴２５ｂに差し込むことによって、一方の挟持部材２１と他方の挟持部材３１が開閉自在となり、一方の挟持部材２１のフック２７と他方の挟持部材３１のフック３７に弾性部材、例えば引っ張りバネ３０を引っ掛けることにより、一方の挟持部材２１と他方の挟持部材３１が閉じる方向に付勢される。駒部材３８の下連結ピン３８ｂは、軸受け板９に形成された軸受け孔３９に回動自在に取り付けられている。
【００２３】
装置本体２には、回転軸４０が回転自在に設けられている。回転軸４０は、ビーズ収容体１０の略円形の底壁１１の略中心に形成された中心孔４１と、軸受け板９に形成された軸受け孔４２に回転自在に取り付けられている。回転軸４０は、前記挟持部材２１と挟持部材３１が弾性部材３０の弾性により閉じている時に、切り欠き２３と切り欠き３３によって形成される円孔４３の略中心を通るようになっている。
【００２４】
回転軸４０には、前記挟持部材２１の突起２６と挟持部材３１の突起３６に当接して、前記挟持部材２１と挟持部材３１を弾性部材３０の弾性に抗して開かせる一対の当接部材４５ａ〜４５ｄが設けられている。当接部材４５ａ〜４５ｄは、図５に示すように、傾斜面４６ａと垂直面４６ｂを有する。一対の当接部材４５ａ〜４５ｄは、上から下にいくに従って、略９０°ずつずれて、回転軸４０に設けられている。
【００２５】
従って、回転軸４０の１番目の一対の当接部材４５ａ，４５ａと３番目の一対の当接部材４５ｃ，４５ｃが、１番目の挟持手段２０ａと３番目の挟持手段２０ｃの挟持部材２１の突起２６と挟持部材３１の突起３６と当接して、前記挟持部材２１と挟持部材３１を弾性部材３０の弾性に抗して開いている時、回転軸４０の２番目の一対の当接部材４５ｂ，４５ｂと４番目の一対の当接部材４５ｄ，４５ｄが、２番目の挟持手段２０ｂと４番目の挟持手段２０ｄの挟持部材２１の突起２６と挟持部材３１の突起３６と当接せず、前記挟持部材２１と挟持部材３１が弾性部材３０の弾性により閉じている。
【００２６】
逆に回転軸４０の２番目の一対の当接部材４５ｂ，４５ｂと４番目の一対の当接部材４５ｄ，４５ｄが、２番目の挟持手段２０ｂと４番目の挟持手段２０ｄの挟持部材２１の突起２６と挟持部材３１の突起３６と当接して、前記挟持部材２１と挟持部材３１を弾性部材３０の弾性に抗して開いている時、回転軸４０の１番目の一対の当接部材４５ａ，４５ａと３番目の一対の当接部材４５ｃ，４５ｃが、１番目の挟持手段２０ａと３番目の挟持手段２０ｃの挟持部材２１の突起２６と挟持部材３１の突起３６と当接せず、前記挟持部材２１と挟持部材３１が弾性部材３０の弾性により閉じている。このように、回転軸４０が回転すると、１番目と３番目の挟持手段２０ａ，２０ｃ及び２番目と４番目の挟持手段２０ｂ，２０ｄが順番に開閉するようになっている。
【００２７】
回転軸４０は、上部が底壁１１の中心孔４１から突出し、この突出部４７に駆動手段５０と案内部材５５がネジ４８により固定して取り付けられている。駆動手段５０は、回転軸４０の突出部４７に嵌合して取り付けられる嵌合軸５１と、嵌合軸５１の上端に固着されたアーム部材５２とからなる。案内部材５５は、円錐状のカバー部材５６と、カバー部材５６の両側に対向して設けられた傾斜板５７，５７とからなる。駆動手段５０と案内部材５５は、嵌合軸５１の下端にカバー部材５６が固定して設けられ、一体的に形成されている。
【００２８】
案内部材５５は、円錐状のカバー部材５６の下端面が収容凹部１３の底壁１１に近接し、カバー部材５６の両側に設けられた傾斜板５７，５７が収容凹部１３の周壁１２に近接して回転し、収容凹部１３内のビーズ７０を後記案内口１６に導くようになっている。
【００２９】
装置本体２には、ビーズ７０の中心孔７１に通す通し軸６０が略垂直に設けられている。通し軸６０は、軸（上下）方向に向かって４つの凹部状の被挟持部６０ａ〜６０ｄが形成されている。被挟持部６０ａ〜６０ｄは、通し軸６０の円周方向に環状に形成され、前記一対の挟持部材２０ａ〜２０ｄの挟持部材２１、３１の挟持部２２、３２によって挟持されるようになっている。ビーズ収容体１０の底壁１１には、ビーズ７０を通し軸６１の上端６１に案内する案内口１６が形成されている。通し軸６０は、上端６１がビーズ収容体１０の案内口１６中心まで伸び、下端に糸７２を引っ掛ける引っ掛け部６３が設けられている。
【００３０】
次に本願発明に係るビーズ通し装置１の作用について説明する。アーム部材５２を時計回転すると、嵌合軸５１を介して、回転軸４０が時計回転し、一対の当接部材４５ａ〜４５ｄも回転する。１番目と３番目の当接部材４５ａ，４５ｃが１番目の挟持手段２０ａと３番目の挟持手段２０ｃの挟持部材２１の突起２６と挟持部材３１の突起３６に当接して、弾性部材３０の弾性に抗して、１番目の挟持手段２０ａと３番目の挟持手段２０ｃの挟持部材２１と挟持部材３１を押し開き、この当接部材４５ａ，４５ｃが突起２６と突起３６から外れると、弾性部材３０の弾性により、１番目の挟持手段２０ａと３番目の挟持手段２０ｃの挟持部材２１と挟持部材３１が接合して元の閉じた状態に戻る。
【００３１】
１番目と３番目の当接部材４５ａ，４５ｃが１番目の挟持手段２０ａと３番目の挟持手段２０ｃを押し開いている時は、２番目の挟持手段２０ｂと４番目の挟持手段２０ｄは閉じているが、この当接部材４５ａ，４５ｃが突起２６と突起３６から外れて１番目の挟持手段２０ａと３番目の挟持手段２０ｃが閉じた時、２番目と４番目の当接部材４５ｂ，４５ｄが２番目の挟持手段２０ｂと４番目の挟持手段２０ｄの挟持部材２１の突起２６と挟持部材３１の突起３６に当接して、弾性部材３０の弾性に抗して、２番目の挟持手段２０ｂと４番目の挟持手段２０ｄの挟持部材２１と挟持部材３１を押し開き、この当接部材４５，４５ｄが突起２６と突起３６から外れると、弾性部材３０の弾性により、２番目の挟持手段２０ｂと４番目の挟持手段２０ｄの挟持部材２１と挟持部材３１が接合して元の閉じた状態に戻る。
【００３２】
このように、アーム部材５２を時計回転させると、１番目の挟持手段２０ａと３番目の挟持手段２０ｃが略同時に開閉し、又２番目の挟持手段２０ｂと４番目の挟持手段２０ｄが略同時に開閉するが、１番目と３番目の挟持手段２０ａ，２０ｃと２番目と４番目の挟持手段２０ｂ，２０ｄが順番に開閉する。そのため、通し軸６０は、必ずどちらか一方の挟持手段２０ａ，２０ｃ又は挟持手段２０ｂ，２０ｄによって挟持されており、装置本体２から外れ難くなっている。
【００３３】
糸７２にビーズ７０の中心孔７１を通す場合について説明する。通し軸６０の引っ掛け部６３に糸７２を引っ掛ける。ビーズ収容体１０の収容凹部１３内にビーズ７０を収容する。係るビーズ７０は、上下に平面部７３，７４を有し、側面部７５が湾曲した扁平形状であり、平面部７３、７４が接地し易く、中心孔７１が上下方向を向き易くなっている。アーム部材５２を回転すると、嵌合軸５１を介して、カバー部材５６、一対の傾斜板５７，５７が回転し、ビーズ収容体１０の底壁１１に形成された案内口１６からビーズ７０を落下させる。
【００３４】
最初に落下した１番目のビーズ７０ａは、案内口１６に案内されて、中心孔７１に通し軸６１が通されるが、図４（ｂ）に示すように、１番目の挟持手段２０ａに載り、一旦その位置で落下が阻止される。１番目の挟持手段２０ａに載っている１番目のビーズ７０ａの存在により、案内口１６が塞がれた形となり、案内口１６から他のビーズ７０は落下しない。
【００３５】
回転軸４０が回転しているので、１番目の挟持手段２０ａと３番目の挟持手段２０ｃが開くと、２番目の挟持手段２０ｂと４番目の挟持手段２０ｄが閉じることになり、図４（ｃ）に示すように、２番目の挟持手段２０ｂに１番目のビーズ７０ａが載り、一旦その位置で落下が阻止される。１番目の挟持手段２０ａにビーズ７０が載っていないので、２番目のビーズ７０ｂが案内口１６から落下して中心孔７１に通し軸６１が通され、１番目のビーズ７０ａの上に載ることになる。
【００３６】
１番目の挟持手段２０ａと３番目の挟持手段２０ｃが閉じると、２番目の挟持手段２０ｂと４番目の挟持手段２０ｄが開くので、図４（ｄ）に示すように、２番目のビーズ７０ｂが１番目の挟持手段２０ａの上に載り、１番目のビーズ７０ａが３番目の挟持手段２０ｃの上に載り、一旦その位置で落下が阻止される。１番目の挟持手段２０ａに載っている２番目のビーズ７０ｂの存在により、案内口１６が塞がれた形となり、案内口１６から他のビーズ７０は落下しない。
【００３７】
１番目の挟持手段２０ａと３番目の挟持手段２０ｃが開くと、２番目の挟持手段２０ｂと４番目の挟持手段２０ｄが閉じるので、図４（ｅ）に示すように、２番目のビーズ７０ｂが２番目の挟持手段２０ｂの上に載り、１番目のビーズ７０ａが４番目の挟持手段２０ｄの上に載り、一旦その位置で落下が阻止される。１番目の挟持手段２０ａにビーズ７０が載っていないので、３番目のビーズ７０ｃが案内口１６から落下して中心孔７１に通し軸６１が通され、２番目のビーズ７０ｂの上に載ることになる。
【００３８】
１番目の挟持手段２０ａと３番目の挟持手段２０ｃが閉じると、２番目の挟持手段２０ｂと４番目の挟持手段２０ｄが開くので、図４（ｆ）に示すように、３番目のビーズ７０ｃが１番目の挟持手段２０ａの上に載り、２番目のビーズ７０ｂが３番目の挟持手段２０ｃの上に載り、一旦その位置で落下が阻止される共に、４番目の挟持手段２０ｄの上に載っていた１番目のビーズ７０ａが落下し、中心孔７１に糸７２が通される。このように、ビーズ通し装置１は、挟持手段２０ａ〜２０ｄが順番に開閉して、ビーズ７０を一つずつ落としていき、糸７２をビーズ７０の中心孔７１に通していくことができる。
【００３９】
上記実施の形態では、アーム部材５２を時計回転させると、回転軸４０も時計回転し、当接部材４５ａ〜４５ｄの傾斜面４６ａが、挟持部材２１の突起２６の傾斜面２６ａと挟持部材３１の突起３６の傾斜面３６ａに当接して、挟持部材２１と挟持部材３１を押し開くようになっている。しかし、アーム部材５２を反時計回転させようとすると、回転軸４０も反時計回転しようとするが、当接部材４５ａ〜４５ｄの垂直面４６ｂが、挟持部材２１の突起２６の垂直面２６ｂと挟持部材３１の突起３６の垂直面３６ｂに当接するため、アーム部材５２を反時計方向に回転させることができず、そのため挟持部材２１と挟持部材３１を開くことができない。
【００４０】
無理に、アーム部材５２を反時計方向に回転させようとすると、挟持部材２１の突起２６、挟持部材３１の突起３６、回転軸４０、当接部材４５ａ〜４５ｄ、アーム部材５２等の機構部の破壊を招くことになる。子ども、特に幼児がこのビーズ通し装置１を使用する場合、アーム部材５２を反時計回転させるおそれがある。係る場合を想定して、アーム部材５２の反時計回転を回転軸４０に伝達することなく、空回りさせるクラッチ手段８０を設けてもよい。
【００４１】
クラッチ手段８０は、図６，７に示すように、駆動手段９０に設けられている。駆動手段９０は、回転軸４０の突出部４７に嵌合して取り付けられる嵌合軸９１と、嵌合軸９１に回動自在に設けられたアーム部材９２とからなる。なお、嵌合軸９１の下端にカバー部材５６が固定して設けられ、駆動手段９０と案内部材５５が一体的に形成されているのは、上記実施の形態と同様である。
【００４２】
嵌合軸９１は、断面が略Ｄ字状に形成されている。アーム部材９２は、ボス部９３を有し、ボス部９３に嵌合凹部９５が形成されている。嵌合凹部９５の略中心には、嵌合軸９１を回動自在に挿通する挿通孔９６が形成されている。嵌合凹部９５の底壁９７には、略中心に向かって放射状の係止突起９９が略９０°間隔で設けられている。
【００４３】
また、嵌合軸９１には、回動不能且つ軸方向に摺動自在となる回動部材８１が設けられている。回動部材８１は、筒状に形成され、内側に嵌合軸９１を摺動自在に嵌合する、断面略Ｄ字状の摺動孔８２が形成され、外側上部にバネ状の弾性部材８３を取り付ける段凹部８４が形成されている。また、回動部材８１は、下部が前記嵌合凹部９５内に嵌合できるようになっており、下端面に前記係止突起９９を係止させる係止凹部８５が略９０°間隔で設けられている。
【００４４】
また、嵌合軸９１の上端には、ネジ４８、座金４９によって固定される円筒状のカバー部材８６が設けられている。カバー部材８６は、円形の上壁８６ａと、周壁８６ｂとからなり、上壁８６ａに嵌合軸９１を嵌合する略Ｄ字状の嵌合穴８６ｃが形成され、嵌合軸９１の上端に固定して取り付けられると、周壁８６ｂの下端がアーム部材９２のボス部９３に当接し、回動部材８１を内側に収納する。前記弾性部材８３は、上壁８６ａの内側面によって、弾性が蓄えられ、回動部材８１を下方に付勢する。このように、回動部材８１と、ボス部９３と、回動部材８１を付勢する弾性部材８３によってクラッチ手段８０を形成している。
【００４５】
アーム部材９２は、これを時計回転させると、ボス部９３、係止突起９９、係止凹部８５、回動部材８１、嵌合軸９１を介して回転軸４０を時計回転させる。アーム部材９２は、これを反時計回転させると、ボス部９３、係止突起９９、係止凹部８５、回動部材８１、嵌合軸９１を介して回転軸４０を反時計回転させようとするが、上記したように、回転軸４０は反時計方向に回転できないので、回動部材８１が回転せず、ボス部９３の係止突起９９が係止凹部８５から外れ、回動部材８１を弾性部材８３の弾性に抗して上方に押し上げるようにして空回りする。なお、アーム部材９２の時計回転時に、何らかの原因により、回転軸４０が回動不能になったとしても、アーム部材９２は空回りする。
【００４６】
このように、駆動手段９０にクラッチ手段８０を設けることによって、回転軸４０が回動不能になった時、アーム部材９２が空回りして、挟持部材２１の突起２６、挟持部材３１の突起３６、回転軸４０、当接部材４５ａ〜４５ｄ、アーム部材９２等の機構部の破壊を防止することができる。そのため、アーム部材９２をどちらの方向にもお構いなく回転させる可能性の高い子ども、特に幼児に安心して使用させることができる。なお、クラッチ手段８０の構成は、上記実施の形態に限定されないのは勿論である。
【００４７】
【発明の効果】
以上説明してきたように、請求項１記載のビーズ通し装置は、ビーズの中心孔に通す通し軸が、２つ以上の開閉する一対の挟持部材を有する挟持手段によって挟持され、この２つ以上の一対の挟持部材を順番に開閉させる当接部材が回転軸に設けられているので、従来のように当接部材を各挟持手段に個々に取り付けて組み立てる手間がなく、構造が単純で組み立て易く、当接部材と一対の挟持部材の位置合わせが極めて容易であるという効果がある。
【００４８】
請求項２記載のビーズ通し装置は、上記効果に加え、回転軸を強制的に回転させる駆動手段がアーム部材であるので、手で作業することができ、幼児でも簡単に使用することができるという効果がある。
【００４９】
請求項３記載のビーズ通し装置は、上記効果に加え、装置本体にビーズを収容する収容凹部が設けられ、収容凹部の底壁にビーズを前記通し軸に案内する案内口が形成され、この収容凹部内のビーズを案内口に導く案内部材が前記駆動手段によって回転軸と共に強制的に回転させられるので、回転軸と案内部材を一つの駆動手段で駆動することができ、構造が簡単で安価に製造することができるという効果がある。
【００５０】
請求項４記載のビーズ通し装置は、駆動手段と回転軸の間に、駆動手段の回転を回転軸に伝達すると共に、回転軸に負荷がかかっている場合、駆動手段が空回りするクラッチ手段が設けられているので、回転軸が回動不能になった時、駆動手段が空回りして、機構部の破壊を防止することができ、そのため子ども、特に幼児に安心して使用させることができるという効果がある。
【図面の簡単な説明】
【図１】本願発明に係るビーズ通し装置の全体斜視図である。
【図２】図１の分解斜視図である。
【図３】図１の側面断面図である。
【図４】ビーズ通し装置の動きを説明する説明図である。
【図５】挟持部材の動きを説明する平面図である。
【図６】本願発明に係るビーズ通し装置のクラッチ手段の全体分解斜視図である。
【図７】図６のクラッチ手段の組立断面図である。
【符号の説明】
１  ビーズ通し装置
２  装置本体
３  後側板
５  左側板
５ａ  突設片
６  右側板
６ａ  突設片
７  接地板
８  枠体
９  軸受け板
１０  ビーズ収容体
１１  底壁
１１ａ  透孔
１２  周壁
１３  収容凹部
１５  ネジ
１６  案内口
２０ａ  挟持手段
２０ｂ  挟持手段
２０ｃ  挟持手段
２０ｄ  挟持手段
２１  挟持部材
２２  挟持部
２３  切り欠き
２５  ボス
２５ａ  連結軸
２５ｂ  連結穴
２５ｃ  下端半分
２６  突起
２６ａ  傾斜面
２６ｂ  垂直面
２７  フック
２８  軸受け孔
３０  弾性部材
３１  挟持部材
３２  挟持部
３３  切り欠き
３５  段凹部
３５ｃ  取付孔
３６  突起
３６ａ  傾斜面
３６ｂ  垂直面
３７  フック
３８  駒部材
３８ａ  上連結ピン
３８ｂ  下連結ピン
３９  軸受け孔
４０  回転軸
４１  中心孔
４２  軸受け孔
４３  円孔
４５ａ  当接部材
４５ｂ  当接部材
４５ｃ  当接部材
４５ｄ  当接部材
４６ａ  傾斜面
４６ｂ  垂直面
４７  突出部
４８  ネジ
４９  座金
５０  駆動手段
５１  嵌合軸
５２  アーム部材
５５  案内部材
５６  カバー部材
５７  傾斜板
６０  通し軸
６０ａ  被挟持部
６０ｂ  被挟持部
６０ｃ  被挟持部
６０ｄ  被挟持部
６１  上端
６２  下端
６３  引っ掛け部
７０  ビーズ
７０ａ  ビーズ
７０ｂ  ビーズ
７０ｃ  ビーズ
７１  中心孔
７２  糸
７３  平面部
７４  平面部
８０  クラッチ手段
８１  回動部材
８２  摺動孔
８３  弾性部材
８４  段凹部
８５  係止凹部
８６  カバー部材
８６ａ  上壁
８６ｂ  周壁
８６ｃ  嵌合穴
９０  駆動手段
９１  嵌合軸
９２  アーム部材
９３  ボス部
９５  嵌合凹部
９６  挿通孔
９７  底壁
９９  係止突起
【図１】
0003722755.tif 000002
【図２】
0003722755.tif 000003
【図３】
0003722755.tif 000004
【図４】
0003722755.tif 000005
【図５】
0003722755.tif 000006
【図６】
0003722755.tif 000007
【図７】
0003722755.tif 000008